【手続補正書】
【提出日】平成24年3月14日(2012.3.14)
【手続補正１】
【補正対象書類名】特許請求の範囲
【補正対象項目名】全文
【補正方法】変更
【補正の内容】
【特許請求の範囲】
【請求項１】
再送処理が互いに独立して行われる複数の下りデータパケットを多重化して、同一の端末に再送するとともに、前記再送された複数の下りデータパケットをそれぞれ復号するためのひとつ又は複数の下り制御情報を、前記同一の端末に対して送信する基地局であって、
（１）前記基地局は、プロセスＰ１ではサブフレームＴ１において、
データパケットＡを第１データパケットとして第１レイヤ又はチャネルで、データパケットＢを第２データパケットとして第２レイヤ又はチャネルで、前記端末に送信し、
下り制御情報に、該当するデータパケットが属するプロセスの識別番号であるプロセスＩＤがＰ１、第１データパケットの復号処理情報がデータパケットＡに適用される復号処理情報、第２データパケットの復号処理情報がデータパケットＢに適用される復号処理情報に、それぞれ設定し、
前記サブフレームＴ１において、データパケットＡおよびＢの復号に必要な情報を含む一つの下り制御情報を前記端末に送信し、
（２）一方、前記基地局は、プロセスＰ２では、サブフレームＴ１とは異なるサブフレームＴ２において、
データパケットＣを第１データパケットとして第１レイヤ又はチャネルで、データパケットＤを第２データパケットとして第２レイヤ又はチャネルで、前記端末に送信し、
下り制御情報に、プロセスＩＤがＰ２、第１データパケットの復号処理情報がデータパケットＣに適用される復号処理情報、第２データパケットの復号処理情報がデータパケットＤに適用される復号処理情報に、それぞれ設定し、
前記サブフレームＴ２において、データパケットＣおよびＤの復号に必要な情報を含む一つの下り制御情報を、前記端末に送信し、
（３）
（ｉ）前記端末から受信したＡＣＫ／ＮＡＫ情報の内容が、データパケットＡ及びＢのいずれかがＮＡＫであり、データパケットＣ及びＤのいずれかがＮＡＫであった場合、前記基地局は、サブフレームＴ３において、
ＮＡＫに対応する複数のデータパケットを前記端末に再送し、
プロセスＰ１におけるデータパケットの再送に使用するレイヤ又はチャネルを選択し、当該データパケットに対応するレイヤ番号又は当該パケットが送信が新規送信と再送のどちらであるかを示す識別情報であるパケット番号のＮＤＩを再送に設定し且つ再送するデータパケットに適用される復号処理情報を設定し、もう一方のレイヤ番号又はパケット番号のＮＤＩを新規送信に設定し且つ復号処理情報とダミー値を設定することで、第１の下り制御情報を生成し、
プロセスＰ１におけるデータパケットの再送用として選択されなかったレイヤ又はチャネルを、プロセスＰ２におけるデータパケットの再送に使用するレイヤ又はチャネルとし、当該データパケットに対応するレイヤ番号又はパケット番号のＮＤＩを再送に設定し且つ再送するデータパケットに適用される復号処理情報を設定し、もう一方のレイヤ番号又はパケット番号のＮＤＩを新規送信に設定し且つ復号処理情報をダミー値に設定することで、第２の下り制御情報を生成し、
前記サブフレームＴ３において、それぞれの再送するデータパケットの復号に必要な情報を含む前記第１の下り情報及び前記第２の下り情報を前記端末に再送する、
及び／又は、
（ｉｉ）前記端末から受信したＡＣＫ／ＮＡＫ情報の内容が、データパケットＡおよびＣがＡＣＫ、データパケットＢおよびＤがＮＡＫであった場合、前記基地局は、サブフレームＴ３において、
データパケットＢおよびＤを前記端末に再送し、
前記第１の下り制御情報に、プロセスＩＤがＰ１、第１データパケットのＮＤＩが新規送信、第１データパケットの復号処理情報がダミーの値、第２データパケットのＮＤＩが再送、第２データパケットの復号処理情報がデータパケットＢに適用される復号処理情報に、それぞれ設定し、
前記第２の下り制御情報に、プロセスＩＤがＰ２、第１データパケットのＮＤＩが新規送信、第１データパケットの復号処理情報がダミーの値、第２データパケットのＮＤＩが再送、第２データパケットの復号処理情報がデータパケットＤに適用される復号処理情報に、それぞれ設定し、
サブフレームＴ３において、データパケットＢの復号に必要な情報を含む前記第１の下り制御情報と、データパケットＤの復号に必要な情報を含む前記第２の下り制御情報を、前記端末に送信する、
前記基地局。
【請求項２】
前記基地局は、
再送パケットが２個以上存在した場合には、優先度１位となった再送パケットを前回送信したときに多重された他の再送パケットが存在するか否かを判定し、
存在する場合には、当該再送パケット２個を選択し、
一方、存在しない場合には、優先度２位となった再送を前回送信したときに多重された他の再送パケットが存在するか否かを判定し、
存在する場合には、優先度１位の再送パケット１個のみを選択し、一方、存在しない場合には、優先度１位および２位の再送パケットを各１個ずつ選択する
ことを特徴とする請求項１に記載の基地局。
【請求項３】
再送処理が互いに独立して行われる複数の下りデータパケットが多重化され同一の基地局から再送された再送信号を受信するとともに、前記複数の下りデータパケットをそれぞれ復号するための複数の制御信号を、前記同一の基地局から受信する端末であって、
（１）前記基地局は、プロセスＰ１ではサブフレームＴ１において、
データパケットＡを第１データパケットとして第１レイヤ又はチャネルで、データパケットＢを第２データパケットとして第２レイヤ又はチャネルで、前記端末に送信し、
下り制御情報に、該当するデータパケットが属するプロセスの識別番号であるプロセスＩＤがＰ１、第１データパケットの該当するデータパケットの送信が新規送信と再送のどちらであるかを表すＮＤＩが新規送信、第１データパケットの復号処理情報がデータパケットＡに適用される復号処理情報、第２データパケットのＮＤＩが新規送信、第２データパケットの復号処理情報がデータパケットＢに適用される復号処理情報に、それぞれ設定し、
前記サブフレームＴ１において、データパケットＡおよびＢの復号に必要な情報を含む一つの下り制御情報を前記端末に送信し、
（２）一方、前記基地局は、プロセスＰ２では、サブフレームＴ１とは異なるサブフレームＴ２において、
データパケットＣを第１データパケットとして第１レイヤ又はチャネルで、データパケットＤを第２データパケットとして第２レイヤ又はチャネルで、前記端末に送信し、
下り制御情報に、プロセスＩＤがＰ２、第１データパケットのＮＤＩが新規送信、第１データパケットの復号処理情報がデータパケットＣに適用される復号処理情報、第２データパケットのＮＤＩが新規送信、第２データパケットの復号処理情報がデータパケットＤに適用される復号処理情報に、それぞれ設定し、
前記サブフレームＴ２において、データパケットＣおよびＤの復号に必要な情報を含む一つの下り制御情報を、前記端末に送信し、
（３）前記基地局は、前記端末から受信したＡＣＫ／ＮＡＫ情報の内容が、データパケットＡ及びＢのいずれかがＮＡＫであり、データパケットＣ及びＤのいずれかがＮＡＫであったときに、前記基地局は、サブフレームＴ３において、
ＮＡＫに対応する複数のデータパケットを前記端末に再送し、
プロセスＰ１におけるデータパケットの再送に使用するレイヤ又はチャネルを選択し、当該データパケットに対応するレイヤ番号又は当該パケットが送信が新規送信と再送のどちらであるかを示す識別情報であるパケット番号のＮＤＩを再送に設定し且つ再送するデータパケットに適用される復号処理情報を設定し、もう一方のレイヤ番号又はパケット番号のＮＤＩを新規送信に設定することで、第１の下り制御情報を生成し、
プロセスＰ１におけるデータパケットの再送用として選択されなかったレイヤ又はチャネルを、プロセスＰ２におけるデータパケットの再送に使用するレイヤ又はチャネルとし、当該データパケットに対応するレイヤ番号又はパケット番号のＮＤＩを再送に設定し且つ再送するデータパケットに適用される復号処理情報を設定し、もう一方のパケット番号のＮＤＩを新規送信に設定することで、  第２の下り制御情報を生成し、
前記サブフレームＴ３において、それぞれの再送するデータパケットの復号に必要な情報を含む前記第１の下り情報及び前記第２の下り情報を前記端末に再送した場合、
（４）サブフレームＴ３で２つの前記下り制御情報を受信した前記端末は、
受信した下り制御情報のうち、下り制御チャネル番号の小さな下り制御チャネルにより伝送されたものを参照して復号した再送パケットのＡＣＫまたはＮＡＫは、２ビットのＡＣＫ／ＮＡＫ情報の中の、当該パケットのデータパケット番号に対応するビットに設定し、２ビットのＡＣＫ／ＮＡＫ情報の中の残りのビットには、もう一方の下り制御チャネルにより伝送されたものを参照して復号した再送パケットのＡＣＫまたはＮＡＫを設定し、
前記端末は、サブフレームＴ３’において、２個のデータパケットの復号結果を表すひとつのＡＣＫ／ＮＡＫ情報を前記基地局に送信し、

（５）前記端末は、
通知された下り制御チャネルの復号結果を参照し、
下り制御チャネルの復号結果に、データパケット番号とレイヤ番号又はチャネル番号が同じであることを示す情報が含まれる場合には、上記復号結果に含まれる第１データパケットの復号処理情報を参照して、該当する下り共有チャネルの第１レイヤ又はチャネルを復号し、
下り制御チャネルの復号結果に含まれる第２データパケットの復号処理情報を参照して、該当する下り共有チャネルの第２レイヤ又はチャネルを復号し、
一方、
下り制御チャネルの復号結果に、データパケット番号とレイヤ番号又はチャネル番号が異なることを示す情報が含まれる場合には、上記復号結果に含まれる第２データパケットの復号処理情報を参照して、該当する下り共有チャネルの第１レイヤ又はチャネルを復号し、
下り制御チャネルの復号結果に含まれる第１データパケットの復号処理情報を参照して、該当する下り共有チャネルの第２レイヤ又はチャネルを復号する、
前記端末。
【請求項４】
前記端末は、二つの下り制御情報を受信した場合、下り制御チャネル番号が小さい下り制御情報を参照して復号されるデータパケットＢに該当する第２データパケットに対応するビットに、データパケットＢのＡＣＫまたはＮＡＫを設定し、残りの第１データパケットに対応するビットに、データパケットＤのＡＣＫまたはＮＡＫを設定すること、

及び／又は、

前記端末は、１個の下り制御情報しか受信しない場合、前記端末サブフレームＴ３において、下り制御チャネル番号の小さい順に、下り制御チャネルの復号を試み、復号された１個の下り制御チャネルに含まれる下り制御情報を参照し、下り共有チャネルにて伝送された２個のデータパケットの復号処理を行い、
正しい復号処理情報が設定されているデータパケットについては、２ビットのＡＣＫ／ＮＡＫ情報の中の当該パケット番号に対応するビットに、復号結果に応じてＡＣＫまたはＮＡＫを設定し、ダミーの復号処理情報が設定されているデータパケットについては、２ビットのＡＣＫ／ＮＡＫ情報の中の当該パケット番号に対応するビットに、常にＮＡＫを設定する
ことを特徴とする請求項３に記載の端末。
【請求項５】
前記端末は、
下り制御情報受信数が２であれば、第１の下り制御情報及び第２の下り制御情報のそれぞれについて、
第１データパケットのＮＤＩを参照し、第１データパケットが再送パケットであるか否かを判定し、
第１データパケットが再送パケットであった場合には、第１データパケットの復号結果に従い、ＡＣＫ／ＮＡＫ情報の中の第１データパケットの情報を表すビットに設定し、
第２データパケットのＮＤＩを参照し、第２データパケットが再送パケットであった場合には、第２データパケットの復号結果に従い、ＡＣＫ／ＮＡＫ情報の中の第２データパケットの情報を表すビットに設定し、
ひとつのＡＣＫ／ＮＡＫ情報を、上り制御チャネルにより、前記基地局に送信する
こと、

及び／又は、

前記端末は、
下り制御情報受信数が１であれば、該下り制御情報について、
第１データパケットのＮＤＩを参照し、第１データパケットが再送パケットであるか否かを判定し、
第１データパケットが再送パケットであった場合には、第１データパケットの復号結果に従い、ＡＣＫ／ＮＡＫ情報の中の第１データパケットの情報を表すビットに設定し、
第２データパケットのＮＤＩを参照し、第２データパケットが再送パケットであった場合には、下り共有チャネル受信処理部から通知された第２データパケットの復号結果に従い、ＡＣＫ／ＮＡＫ情報の中の第２データパケットの情報を表すビットに設定し、
ひとつのＡＣＫ／ＮＡＫ情報を、上り制御チャネルにより、前記基地局に送信する
ことを特徴とする請求項３に記載の端末。
【請求項６】
再送処理が互いに独立して行われる複数の下りデータパケットを多重化して、同一の端末に再送するとともに、前記再送された複数の下りデータパケットをそれぞれ復号するためのひとつ又は複数の下り制御情報を、前記同一の端末に対して送信する前記基地局であって、
（１）前記基地局は、プロセスＰ１ではサブフレームＴ１において、
データパケットＡを第１データパケットとして第１レイヤ又はチャネルで、データパケットＢを第２データパケットとして第２レイヤ又はチャネルで、前記端末に送信し、
下り制御情報に、該当するデータパケットが属するプロセスの識別番号であるプロセスＩＤがＰ１、第１及び第２データパケットと第１及び第２レイヤとの対応関係を表すＳｗａｐが無、第１データパケットの該当するデータパケットの送信が新規送信と再送のどちらであるかを表すＮＤＩが新規送信、第１データパケットの復号処理情報がデータパケットＡに適用される復号処理情報、第２データパケットのＮＤＩが新規送信、第２データパケットの復号処理情報がデータパケットＢに適用される復号処理情報に、それぞれ設定し、
前記サブフレームＴ１において、データパケットＡおよびＢの復号に必要な情報を含む一つの下り制御情報を前記端末に送信し、
（２）一方、前記基地局は、プロセスＰ２では、サブフレームＴ１とは異なるサブフレームＴ２において、
データパケットＣを第１データパケットとして第１レイヤ又はチャネルで、データパケットＤを第２データパケットとして第２レイヤ又はチャネルで、前記端末に送信し、
下り制御情報に、プロセスＩＤがＰ２、第１データパケットのＮＤＩが新規送信、第１データパケットの復号処理情報がデータパケットＣに適用される復号処理情報、第２データパケットのＮＤＩが新規送信、第２データパケットの復号処理情報がデータパケットＤに適用される復号処理情報に、それぞれ設定し、
前記サブフレームＴ２において、データパケットＣおよびＤの復号に必要な情報を含む一つの下り制御情報を、前記端末に送信し、
（３）
（ｉ）前記端末から受信したＡＣＫ／ＮＡＫ情報の内容が、データパケットＡ及びＢのいずれかがＮＡＫであり、データパケットＣ及びＤのいずれかがＮＡＫであった場合、前記基地局は、サブフレームＴ３において、
ＮＡＫに対応する複数のデータパケットをそれぞれサブフレームＴ１及びＴ２で送ったレイヤで、前記端末に再送し、
第１の再送プロセスにおけるデータパケットの再送に使用するレイヤ又はチャネルを選択し、当該データパケットに対応するパケット番号のＮＤＩを再送に設定し且つ再送するデータパケットに適用される復号処理情報を設定し、
第１の再送プロセスの再送用として選択されなかったレイヤ又はチャネルを、第２の再送プロセスにおけるデータパケットの再送に使用するレイヤ又はチャネルとし、当該データパケットに対応するパケット番号のＮＤＩを再送に設定し且つ再送するデータパケットに適用される復号処理情報を設定することで、
１個の下り制御情報を生成し、
前記サブフレームＴ３において、それぞれの再送するデータパケットの復号に必要な１個の下り情報を前記端末に再送する、
及び／又は、
（ｉｉ）前記端末から受信したＡＣＫ／ＮＡＫ情報の内容が、データパケットＡおよびＤがＡＣＫ、ＢおよびＣがＮＡＫであった場合、前記基地局は、サブフレームＴ３において、
データパケットＢを第２レイヤ又はチャネルで、データパケットＣを第１レイヤ又はチャネルで、前記端末に再送し、
下り制御情報には、Ｓｗａｐが無、第１データパケットのプロセスＩＤがＰ２、第１データパケットのＮＤＩが再送、第１データパケットの復号処理情報がデータパケットＣに適用される復号処理情報、第２データパケットのプロセスＩＤがＰ１、第２データパケットのＮＤＩが再送、第２データパケットの復号処理情報がデータパケットＢに適用される復号処理情報に、それぞれ設定し、
データパケットＢおよびＣの復号に必要な情報を含む一つの下り制御情報を、前記端末に送信する
前記基地局。
【請求項７】
前記基地局は、
前記決定されたレイヤ又はチャネルが、第１および第２の再送プロセスにおいて再送されるデータパケットのいずれか一方のみについて、当該データパケットの新規送信に用いられたレイヤ又はチャネルと異なり、他方のデータパケットについては当該データパケットの新規送信に用いられたレイヤ又はチャネルと同一である場合には、２個の下り制御情報を生成する
ことを特徴とする請求項６に記載の基地局。
【請求項８】
再送処理が互いの独立して行われる複数の下りデータパケットが多重化され同一の基地局から再送された再送信号を受信するとともに、前記複数の下りデータパケットをそれぞれ復号するための複数の制御信号を、前記同一の基地局から受信する端末であって、
（１）前記基地局は、プロセスＰ１ではサブフレームＴ１において、
データパケットＡを第１データパケットとして第１レイヤ又はチャネルで、データパケットＢを第２データパケットとして第２レイヤ又はチャネルで、前記端末に送信し、
前記サブフレームＴ１において、データパケットＡおよびＢの復号に必要な情報を含む一つの下り制御情報を前記端末に送信し、
（２）一方、前記基地局は、プロセスＰ２では、サブフレームＴ１とは異なるサブフレームＴ２において、
データパケットＣを第１データパケットとして第１レイヤ又はチャネルで、データパケットＤを第２データパケットとして第２レイヤ又はチャネルで、前記端末に送信し、
前記サブフレームＴ２において、データパケットＣおよびＤの復号に必要な情報を含む一つの下り制御情報を、前記端末に送信し、
（３）前記端末から受信したＡＣＫ／ＮＡＫ情報の内容が、データパケットＡ及びＢのいずれかがＮＡＫであり、データパケットＣ及びＤのいずれかがＮＡＫであった場合、前記基地局は、サブフレームＴ３において、
ＮＡＫに対応する複数のデータパケットをそれぞれサブフレームＴ１及びＴ２で送ったレイヤで、前記端末に再送し、
第１の再送プロセスにおけるデータパケットの再送に使用するレイヤ又はチャネルを選択し、当該データパケットに対応するパケット番号のＮＤＩを再送に設定し且つ再送するデータパケットに適用される復号処理情報を設定し、
第１の再送プロセスの再送用として選択されなかったレイヤ又はチャネルを、第２の再送プロセスにおけるデータパケットの再送に使用するレイヤ又はチャネルとし、当該データパケットに対応するパケット番号のＮＤＩを再送に設定し且つ再送するデータパケットに適用される復号処理情報を設定することで、１個の下り制御情報を生成し、
前記サブフレームＴ３において、それぞれの再送するデータパケットの復号に必要な１個の下り情報を前記端末に再送する、
場合、
（４）前記端末は、
該下り制御情報について、
第１データパケットの復号結果に従いＡＣＫ／ＮＡＫ情報の中の第１データパケットの情報を表すビットに設定し、第２データパケットの復号結果に従いＡＣＫ／ＮＡＫ情報の中の第２データパケットの情報を表すビットに設定し、
ひとつのＡＣＫ／ＮＡＫ情報を、上り制御チャネルにより、前記基地局に送信する、
前記端末。
【請求項９】
前記下り制御情報の復号処理情報は、
データパケットに適用されるＭＣＳ（Ｍｏｄｕｌａｔｉｏｎ  ａｎｄ  Ｃｏｄｉｎｇ  Ｓｃｈｅｍｅ）番号を表すＭＣＳと、
該当するデータパケットにおいて誤り訂正符号化されたデータのどの部分を送信するかを表すＲＶ（Ｒｅｄｕｎｄａｎｃｙ  Ｖｅｒｓｉｏｎ）と、
を含むこと、

及び／又は、

前記下り制御情報は、さらに、
該当する下り共有チャネルに割り当てられるリソースブロックの数および周波数方向の位置を表すリソース割当情報と、
データパケットを空間多重する際の行列演算又はプリコーディングに用いられるプリコーディング行列番号を表すＰＭＩ(Ｐｒｅｃｏｄｅｒ  Ｍａｔｒｉｘ  Ｉｎｄｅｘ）と、
を含むことを特徴とする請求項１に記載の基地局。
【請求項１０】
送信局と、前記送信局とデータパケットの送受信を行う受信局と、を有する無線通信システムにおいて、
前記送信局は、
複数のデータパケットに対応する送信プロセス毎に、異なる時間リソースの割当を行い、
前記時間リソースを用いて前記送信プロセスに対応する前記複数のデータパケットの前記受信局への送信を行い、
前記複数のデータパケットの中で少なくとも２以上のデータパケットを再送する場合に、
異なる前記送信プロセスに対応するデータパケットに単一の時間リソースを割当て、
前記単一の時間リソースを用いて前記データパケットの前記受信局への再送を行うこと、
を特徴とする無線通信システム。
【請求項１１】
請求項１０に記載の無線通信システムにおいて、
前記送信局は、
前記データパケットごとに優先度を設定し、
前記優先度に基づいて前記データパケットの前記再送に用いる前記時間リソースを選択する、こと、
を特徴とする無線通信システム。
【請求項１２】
請求項１０に記載の無線通信システムにおいて、
前記送信局は、
前記受信局が前記送信局から前記再送された前記データパケットの各々の復号処理を行うために用いる制御信号を、前記データパケットが各々の送信時に割当られた前記送信プロセスごとに生成し、
前記制御信号を前記単一の時間リソースを用いて前記受信局に送信する、こと、
を特徴とする無線通信システム。
【請求項１３】
請求項１０に記載の無線通信システムにおいて、
前記送信局は、
複数の搬送波を用いて複数の前記データパケットの送信を行い、
異なる前記搬送波を用いて送信を行う前記データパケットにそれぞれ異なる送信プロセス識別子を付与し、
異なる前記搬送波を用いて送信を行う前記データパケットをそれぞれ異なる前記送信プロセスに対応付ける、こと、
を特徴とする無線通信システム。
【請求項１４】
請求項１０に記載の無線通信システムにおいて、
前記受信局は、前記送信局から送信された複数の前記データパケットの受信処理を、前記データパケットに対応する送信プロセスごとに行う送受信部を備え、
前記送受信部は、  前記送信局から再送された、異なる前記送信プロセスと対応する少なくとも２以上の前記データパケットを受信する場合に、
単一の時間リソースを用いて、前記無線基地局から再送された少なくとも２以上の前記データパケットの受信処理を行う、ことを特徴とする無線通信システム。